(57)【要約】【課題】設置する面部が傾斜しているかしていないかにかかわらず、安定良く垂直に立てることができ、束本体部で支承する上部構造部を不具合なく適正に支承することができる床束等に用いられる束の構造を提供する。【解決手段】ベースプレート３が束本体部２に対して傾き可能に備えられている。ベースプレート３を、束本体部２に対して水平状態又は傾斜状態にした後、首振り不能に固定する固定機構２ｆ，７，９が備えられているとなおよい。【選択図】      図４
2006097391.tif 000002
【特許請求の範囲】
【請求項１】
束本体部の下端側にベースが備えられた床束等に用いられる束の構造であって、
前記ベースが束本体部に対して傾き可能に備えられていることを特徴とする床束等に用いられる束の構造。
【請求項２】
前記ベースの上面部に、上に凸の円弧状に成形されたジョイント金物の両端部が接合されると共に、ジョイント金物の中央部に、円弧方向に延びる長孔が設けられ、該長孔に束本体部の下ネジ体の下端部が通され、該下端部には、ジョイント金物の下面側において抜止め体が備えられると共に、下ネジ体にはジョイント金物の上面側においてジョイント金物を抜止め体との協働で締め付け固定するナットが螺合されている請求項１に記載の、床束等に用いられる束の構造。
【請求項３】
前記ベースの上面部に、上に凸の球面状の成形されたジョイント金物の周縁部が接合されると共に、ジョイント金物の中央部に、束本体部に備えられた下ネジ体の直径よりも大きいサイズの孔が設けられ、該孔に束本体部の下ネジ体の下端部が通され、該下端部には、ジョイント金物の下面側において抜止め体が備えられると共に、下ネジ体にはジョイント金物の上面側においてジョイント金物を抜止め体との協働で締め付け固定するナットが螺合されている請求項１に記載の、床束等に用いられる束の構造。
【請求項４】
ベースを、束本体部に対して水平状態又は傾斜状態にした後、首振り不能に固定する固定機構が備えられている請求項１に記載の、床束等に用いられる束の構造。
【発明の詳細な説明】
【技術分野】
【０００１】
本発明は、床束等に用いられる束の構造に関する。
【背景技術】
【０００２】
例えば、床下土間と大引との間に介設される床束として、従来より、図５（イ）に示すような、鋼製の床束５１が提供されているが、図５（ロ）に示すように、床下コンクリート土間面５２に不陸等による傾斜が存在するような場合に、床束５１がベースプレート５７によって床下土間面５２の傾斜に従うように傾斜してしまい、大引５３が傾き、根太５４との間に隙間５５を生じてその隙間５５が将来的に床鳴りの原因となったり、また、図５（ハ）に示すように、床板５６，５６間に段差を生じさせてしまう可能性がある。
【発明の開示】
【発明が解決しようとする課題】
【０００３】
本発明は、例えば上記のような問題点に鑑み、設置する面部が傾斜しているかしていないかにかかわらず、安定良く垂直に立てることができ、束本体部で支承する上部構造部を不具合なく適正に支承することができる床束等に用いられる束の構造を提供することを課題とする。
【課題を解決するための手段】
【０００４】
上記の課題は、束本体部の下端側にベースが備えられた床束等に用いられる束の構造であって、
前記ベースが束本体部に対して傾き可能に備えられていることを特徴とする床束等に用いられる束の構造（第１発明）によって解決される。
【０００５】
この構造では、ベースが束本体部に対して傾くことができるようになされているから、設置する面部が傾斜している場合にはベースをそれに追従するように傾斜させ、設置する面部が傾斜していない場合にはベースをそれに追従するように水平にすることで、束本体部を安定良く垂直に立てることができ、束本体部で支承する上部構造部を不具合なく適正に支承することができる。
【０００６】
第１発明において、ベースの上面部に、上に凸の円弧状に成形されたジョイント金物の両端部が接合されると共に、ジョイント金物の中央部に、円弧方向に延びる長孔が設けられ、該長孔に束本体部の下ネジ体の下端部が通され、該下端部には、ジョイント金物の下面側において抜止め体が備えられると共に、下ネジ体にはジョイント金物の上面側においてジョイント金物を抜止め体との協働で締め付け固定するナットが螺合されているとよい（第２発明）。
【０００７】
この場合は特に、ナットを緩めて床束を設置した後、ナットを締めることにより、ベースを束本体部に対して首振りできない固定状態にすることができて、支承安定性にとりわけ優れた床束支承状態を形成することができる。
【０００８】
また、第１発明において、ベースの上面部に、上に凸の球面状の成形されたジョイント金物の周縁部が接合されると共に、ジョイント金物の中央部に、束本体部に備えられた下ネジ体の直径よりも大きいサイズの孔が設けられ、該孔に束本体部の下ネジ体の下端部が通され、該下端部には、ジョイント金物の下面側において抜止め体が備えられると共に、下ネジ体にはジョイント金物の上面側においてジョイント金物を抜止め体との協働で締め付け固定するナットが螺合されているのもよい（第３発明）。
【０００９】
この場合は、ベースを束本体部に対して首振りできない固定状態にすることができて、支承安定性にとりわけ優れた床束支承状態を形成することができるのみならず、設置面の傾斜方向にあわせてベースの向きを変える必要がなく、床束の設置を施工容易に行っていくことができる。
【００１０】
更に、第１発明において、ベースを、束本体部に対して水平状態又は傾斜状態にした後、首振り不能に固定する固定機構が備えられているのもよく（第４発明）、その場合は、支承安定性にとりわけ優れた床束支承状態を形成することができる。即ち、固定機構は、第２、第３発明における固定機構以外の機構からなるものであってもよい。
【発明の効果】
【００１１】
本発明の束構造は、以上のとおりのものであるから、設置する面部が傾斜しているかしていないかにかかわらず、安定良く垂直に立てることができ、束本体部で支承する上部構造部を不具合なく適正に支承することができる。
【発明を実施するための最良の形態】
【００１２】
次に、本発明の実施最良形態を図面に基づいて説明する。
【００１３】
図１（イ）（ロ）に示す第１実施形態の束１は、鋼製の床束で、束本体部２がターンバックル２ａにより伸縮できるようになされており、下ネジ体２ｂの下端部に球体部２ｅが一体的に備えられ、該球体部２ｅが、ベースとしてのベースプレート３の上面中央部に設けられた球面状の凹所３ａ内に受けられてベースプレート３が束本体部２に対して全方向に傾くことができるようにジョイントされている。なお、上ネジ体２ｃの上端部には、大引を受けるトップとしてのトッププレート４が一体的に備えられている。２ｄ，２ｄは上下のロックナットである。
【００１４】
この床束１では、図１（ハ）に示すように、床下コンクリート土間面５に、不陸や設計上の傾斜がある場合であっても、ベースプレート３を床下土間面５の傾斜に沿わせるように設置して束本体部２を垂直状態にすることができ、トッププレート４上に、大引等の上部構造部を不具合なく適正にかつ安定良く支承させることができる。従って、従来のような床鳴りや床面段差の発生を防止することができる。
【００１５】
しかも、本実施形態の床束１は、ベースプレート３が全方向に傾くことができるので、床下土間面５の傾斜方向にあわせてベースプレート３の向きを変える必要がなく、床束１の設置を施工容易に行っていくことができる。
【００１６】
図２（イ）（ロ）に示す第２実施形態の床束１は、束本体部２の下ネジ体２ｂの下端部が、ベースプレート３の上面中央部に一体的に設けられた軸受け部３ｂにピン６で枢着され、ベースプレート３がピン６を軸として回動し、ベースプレート３が束本体部２に対して一方向に傾くことができるようにジョイントされている。
【００１７】
この床束１であっても、図２（ハ）に示すように、ベースプレート３を床下土間面５の傾斜に沿わせるように設置して束本体部２を垂直状態にすることができ、トッププレート４上に、大引等の上部構造部を不具合なく適正にかつ安定良く支承させることができる。また、床下土間面５の傾斜に沿わせるようにベースプレート３を向けることで、あらゆる方向の傾斜に対応することができる。
【００１８】
図３（イ）（ロ）に示す第３実施形態の床束１は、ベースプレート３の上面中央部に、上に凸の円弧状にプレス成形したジョイント金物７の両端部が溶接やかしめなどで接合され、ジョイント金物７の中央部には円弧方向に延びる長孔８が設けられ、該長孔８に束本体部２の下ネジ体２ｂの下端部が通され、該下端部には、ジョイント金物７の下面側において抜止め体２ｆが備えられると共に、下ネジ体２ｂにはジョイント金物７の上面側においてナット９が螺合されている。
【００１９】
この床束１では、ナット９を緩めた状態にすることで、図３（ハ）に示すように、ベースプレート３を床下土間面５の傾斜に沿わせるように設置して束本体部２を垂直状態にすることができ、しかも、その垂直状態において、ナット９を締めることにより、ベースプレート３を束本体部２に対して首振りできない固定状態にすることができて、支承安定性にとりわけ優れた床束支承状態を形成することができる。なお、１１は座金である。
【００２０】
図４（イ）〜（ハ）に示す第４実施形態の床束１は、ベースプレート３の上面中央部に、上に凸の球面状に板曲げプレス成形したジョイント金物７の周縁部が溶接やかしめなどで接合され、ジョイント金物７の中央部には束本体部２の下ネジ体２ｂの直径よりも大きいサイズの丸孔等の孔１０が設けられ、該孔１０に束本体部２の下ネジ体２ｂの下端部が通され、該下端部には、ジョイント金物７の下面側において抜止め体２ｆが備えられると共に、下ネジ体２ｂにはジョイント金物７の上面側においてナット９が螺合されている。
【００２１】
この床束１では、ナット９を緩めた状態にすることで、図４（ニ）に示すように、ベースプレート３を床下土間面５の傾斜に沿わせるように設置して束本体部２を垂直状態にすることができ、しかも、その垂直状態において、ナット９を締めることにより、ベースプレート３を束本体部２に対して首振りできない固定状態にすることができて、支承安定性にとりわけ優れた床束支承状態を形成することができる。そして、本実施形態の床束１では、ベースプレート３が全方向に傾くことができるので、床下土間面５の傾斜方向にあわせてベースプレート３の向きを変える必要がなく、床束１の設置を施工容易に行っていくことができる。
【００２２】
以上に、本発明の実施形態を示したが、本発明はこれに限られるものではなく、発明思想を逸脱しない範囲で各種の変更が可能である。例えば、本発明の束構造は、その材質に制限はないし、束本体部やベース部等の構造や形態についても制限はない。また、束の用途も床束に限らず、小屋組に用いられる束などであってもよく、具体的用途についての制限もない。
【図面の簡単な説明】
【００２３】
【図１】第１実施形態の束構造を示すもので、図（イ）は一部断面全体正面図、図（ロ）は要部の分解一部断面正面図、図（ハ）は束設置状態の一部断面正面図である。
【図２】第２実施形態の束構造を示すもので、図（イ）は全体正面図、図（ロ）は要部側面部、図（ハ）は束設置状態の一部断面正面図である。
【図３】第３実施形態の束構造を示すもので、図（イ）は一部断面全体正面図、図（ロ）は図（イ）のＩ−Ｉ線断面矢視図、図（ハ）は束設置状態の一部断面正面図である。
【図４】第４実施形態の束構造を示すもので、図（イ）は全体正面図、図（ロ）は要部の一部断面正面図、図（ハ）は束設置状態の一部断面正面図である。
【図５】図（イ）は従来の束構造を示す一部断面正面図、図（ロ）及び図（ハ）はそれぞれ該束によって生じうる不具合の例を示す一部断面正面図である。
【符号の説明】
【００２４】
１…床束（束）
２…束本体部
２ｂ…下ネジ体
２ｆ…抜止め体（固定機構）
３…ベースプレート（ベース）
５…床下コンクリート土間面（設置する面部）
７…ジョイント金物（固定機構）
８…長孔
９…ナット（固定機構）
１０…孔
【図１】
2006097391.tif 000003
【図２】
2006097391.tif 000004
【図３】
2006097391.tif 000005
【図４】
2006097391.tif 000006
【図５】
2006097391.tif 000007